【手続補正書】
【提出日】平成30年1月5日(2018.1.5)
【手続補正１】
【補正対象書類名】特許請求の範囲
【補正対象項目名】全文
【補正方法】変更
【補正の内容】
【特許請求の範囲】
【請求項１】
患者の眼瞼中のマイボーム腺を徹照して前記マイボーム腺を画像化する方法において、
赤外（ＩＲ）光をＩＲ光源から前記眼瞼に方向付けて前記眼瞼中のマイボーム腺をＩＲ徹照する工程と、
ＩＲ徹照時にイメージングデバイスを用いて前記眼瞼を画像化して前記眼瞼中のマイボーム腺のＩＲ徹照画像を生成する工程と、
前記イメージングデバイスと関連するコンピュータ制御システムにおいて、前記眼瞼の前記ＩＲ徹照画像を受け取る工程と、
前記イメージングデバイスと関連するメモリに、前記ＩＲ徹照画像を記憶する工程と、
第２の赤外（ＩＲ）光を第２のＩＲ光源から前記眼瞼の内側表面の内側部分に方向付けて前記眼瞼の前記内側表面の前記内側部分を表面照射する工程と、
前記内側部分が前記第２のＩＲ光によって照射される時、前記イメージングデバイスを用いて前記眼瞼の前記内側表面の前記内側部分を画像化して、前記眼瞼中の前記マイボーム腺の表面マイボグラフィー画像を生成する工程と、
を含むことを特徴とする方法。
【請求項２】
前記ＩＲ光を前記ＩＲ光源から前記眼瞼に方向付ける工程が、前記ＩＲ光を前記ＩＲ光源から前記眼瞼の外側表面の外側部分に方向付けて前記眼瞼中のマイボーム腺をＩＲ徹照する工程を含むことを特徴とする請求項１に記載の方法。
【請求項３】
ＩＲ徹照時に前記イメージングデバイスを用いて前記眼瞼を画像化する工程が、ＩＲ徹照時に前記イメージングデバイスを用いて前記眼瞼の内側表面の内側部分を画像化して前記眼瞼中のマイボーム腺の前記ＩＲ徹照画像を生成する工程を含むことを特徴とする請求項２に記載の方法。
【請求項４】
前記ＩＲ光を前記ＩＲ光源から前記眼瞼に方向付ける工程が、前記ＩＲ光を前記ＩＲ光源から前記眼瞼の内側表面の内側部分に方向付けて前記眼瞼中のマイボーム腺をＩＲ徹照する工程を含むことを特徴とする請求項１に記載の方法。
【請求項５】
前記眼瞼を反転させて前記眼瞼の前記内側表面の前記内側部分を前記イメージングデバイスのイメージング経路に露出させる工程をさらに含み、
ＩＲ徹照時に前記イメージングデバイスを用いて前記眼瞼の前記内側表面の前記内側部分を画像化する工程が、前記眼瞼が反転される時に行われる、
ことを特徴とする請求項３に記載の方法。
【請求項６】
前記ＩＲ光を前記ＩＲ光源から前記眼瞼に方向付けて前記眼瞼中のマイボーム腺をＩＲ徹照する工程が、前記ＩＲ光を前記ＩＲ光源から下眼瞼に方向付ける工程をさらに含み、
ＩＲ徹照時に前記イメージングデバイスを用いて前記眼瞼を画像化する工程が、ＩＲ徹照時に前記イメージングデバイスを用いて前記下眼瞼を画像化して前記下眼瞼中のマイボーム腺の前記ＩＲ徹照画像を生成する工程をさらに含む、
ことを特徴とする請求項１に記載の方法。
【請求項７】
前記ＩＲ光を前記ＩＲ光源から前記眼瞼に方向付けて前記眼瞼中のマイボーム腺をＩＲ徹照する工程が、前記ＩＲ光を前記ＩＲ光源から上眼瞼に方向付ける工程をさらに含み、
ＩＲ徹照時に前記イメージングデバイスを用いて前記眼瞼を画像化する工程が、ＩＲ徹照時に前記イメージングデバイスを用いて前記上眼瞼を画像化して前記上眼瞼中のマイボーム腺の前記ＩＲ徹照画像を生成する工程をさらに含む、
ことを特徴とする請求項１に記載の方法。
【請求項８】
前記第２のＩＲ光を前記第２のＩＲ光源から方向付ける工程が、
前記第２のＩＲ光を第１の角度と逆の第２の角度から前記眼瞼の内側部分に方向付けずに、前記第２のＩＲ光を前記第１の角度から前記眼瞼の前記内側部分の第１の角度端に方向付ける工程と、
前記第２のＩＲ光を前記第１の角度から前記眼瞼の前記内側部分に方向付けずに、前記第２のＩＲ光を前記第１の角度と逆の第２の角度から前記眼瞼の前記内側部分の第２の角度端に方向付ける工程と、
をさらに含み、かつ
前記イメージングデバイスを用いて前記眼瞼の前記内側表面の前記内側部分を画像化する工程が、
前記内側部分に前記第２のＩＲ光が前記第１の角度で照射される時、前記イメージングデバイスを用いて前記眼瞼の前記内側表面の前記内側部分を画像化して、前記眼瞼中のマイボーム腺の第１の表面マイボグラフィー画像を生成する工程と、
前記内側部分に前記第２のＩＲ光が前記第２の角度で照射される時、前記イメージングデバイスを用いて前記眼瞼の前記内側表面の前記内側部分を画像化して、前記眼瞼中のマイボーム腺の第２の表面マイボグラフィー画像を生成する工程と、
をさらに含み、かつ
前記第１の表面マイボグラフィー画像の前記第２の角度端と前記第２の表面マイボグラフィー画像の前記第１の角度端とを組み合わせて、前記眼瞼の前記内側表面の前記内側部分からの前記第２のＩＲ光の画像化された反射から生じるグレアが低減された前記表面マイボグラフィー画像を生成する工程をさらに含む、
ことを特徴とする請求項１に記載の方法。
【請求項９】
患者の眼瞼中のマイボーム腺の眼瞼徹照イメージングのためのマイボーム腺イメージングシステムにおいて、
赤外（ＩＲ）光源であって、ＩＲ光を前記眼瞼に方向付けて前記眼瞼中のマイボーム腺をＩＲ徹照するように構成された赤外（ＩＲ）光源と、
第２のＩＲ光源であって、第２のＩＲ光を前記眼瞼の内側表面の内側部分へ方向付けるように構成された第２のＩＲ光源と、
ＩＲ徹照時に前記眼瞼を画像化するように構成されたイメージングデバイスと、
コンピューター制御システムであって、
前記ＩＲ光を前記眼瞼に方向付けて前記眼瞼中のマイボーム腺をＩＲ徹照すべく前記ＩＲ光源を制御するように、
ＩＲ徹照時に前記眼瞼を画像化すべく前記イメージングデバイスを制御するように、
ＩＲ徹照時に前記眼瞼の画像を受け取るように、
ＩＲ徹照時に受け取った前記眼瞼の前記画像から前記眼瞼中のマイボーム腺のＩＲ徹照画像を記憶するように、
前記ＩＲ光を前記眼瞼へ方向づけるように前記ＩＲ光源に指令しない時、前記第２のＩＲ光を前記眼瞼の前記内側表面の前記内側部分に方向付けて前記眼瞼の前記内側表面を表面照射すべく前記第２のＩＲ光源を制御するように、
前記第２のＩＲ光を前記眼瞼の前記内側表面の前記内側部分に方向付けるように前記第２のＩＲ光源が指令される時、表面マイボグラフィー画像で前記眼瞼の前記内側表面の前記内側部分を画像化すべく前記イメージングデバイスを制御するように、
前記眼瞼の前記表面マイボグラフィー画像を受け取るように、
前記受け取った前記眼瞼の前記表面マイボグラフィー画像から前記眼瞼中のマイボーム腺の前記表面マイボグラフィー画像を記憶するように、
構成されたコンピューター制御システムと、
を備えることを特徴とするマイボーム腺イメージングシステム。
【請求項１０】
本体と、
前記本体の端上に配設された湾曲眼瞼反転端表面であって、前記眼瞼を把持および反転するように構成された湾曲眼瞼反転端表面と、
前記本体内に配設され、かつ前記コンピューター制御システムの制御下で前記ＩＲ光を発生するように構成されたＩＲ光源と、
前記ＩＲ光源からＩＲ光を受け取ってＩＲライトパイプを形成するよう前記本体の前記湾曲眼瞼反転端表面内に配設された長尺状スロットと、
を含む眼瞼反転デバイスをさらに備えることを特徴とする請求項９に記載のマイボーム腺イメージングシステム。
【請求項１１】
前記コンピューター制御システムが、
前記眼瞼反転デバイスの前記湾曲眼瞼反転端表面が前記眼瞼と係合して前記眼瞼を反転させる時、前記眼瞼反転デバイス中の前記長尺状スロットを介して前記ＩＲ光を前記眼瞼の外側表面の外側部分に方向付けて前記眼瞼中のマイボーム腺をＩＲ徹照すべく前記ＩＲ光源を制御するように、かつ
前記眼瞼が前記眼瞼反転デバイスにより反転される時、ＩＲ徹照時に前記眼瞼の内側表面の内側部分を画像化すべく前記イメージングデバイスを制御するように、
構成されることを特徴とする請求項１０に記載のマイボーム腺イメージングシステム。
【請求項１２】
前記ＩＲ光源が、
前記長尺状スロットの中心部分に沿って配設された中心ＩＲエミッターと、
前記長尺状スロットの第１の端に近接して配設された第１の端ＩＲエミッターと、
前記長尺状スロットの第２の端に近接して配設された第２の端ＩＲエミッターと、
を含み、
前記中心ＩＲエミッター、前記第１の端ＩＲエミッター、および前記第２の端ＩＲエミッターのそれぞれが、独立して、前記コンピューター制御システムの制御下でＩＲ光を発するように構成される、
ことを特徴とする請求項１０に記載のマイボーム腺イメージングシステム。
【請求項１３】
前記コンピューター制御システムが、前記第１の端ＩＲエミッターおよび前記第２の端ＩＲエミッターの強度を前記中心ＩＲエミッターの強度よりも大きくなるように調節して、前記ＩＲ光源により前記マイボーム腺の均一または実質的に均一な徹照を提供するようにさらに構成されることを特徴とする請求項１２に記載のマイボーム腺イメージングシステム。
【請求項１４】
前記コンピューター制御システムが、前記マイボーム腺の前記表面マイボグラフィー画像から前記マイボーム腺の前記ＩＲ徹照画像を引き算して前記マイボーム腺の得られた画像を発生させるようにさらに構成されることを特徴とする請求項９に記載のマイボーム腺イメージングシステム。
【請求項１５】
前記コンピューター制御システムが、
前記第２のＩＲ光を第１の角度と逆の第２の角度から前記眼瞼の内側部分に方向付けずに、前記第２のＩＲ光を前記第１の角度で前記眼瞼の前記内側部分の第１の角度端に方向付けるように、かつ
前記第２のＩＲ光を前記第１の角度から前記眼瞼の前記内側部分に方向付けずに、前記第２のＩＲ光を前記第１の角度と逆の第２の角度に前記眼瞼の前記内側部分の第２の角度端に方向付けるように、
構成することにより、前記第２のＩＲ光を前記第２のＩＲ光源から方向付けるように、および
前記内側部分に前記第２のＩＲ光が前記第１の角度で照射される時、前記イメージングデバイスを用いて前記眼瞼の前記内側表面の前記内側部分を画像化して、前記眼瞼中のマイボーム腺の第１の表面マイボグラフィー画像を生成するように、かつ
前記内側部分に前記第２のＩＲ光が前記第２の角度で照射される時、前記イメージングデバイスを用いて前記眼瞼の前記内側表面の前記内側部分を画像化して、前記眼瞼中のマイボーム腺の第２の表面マイボグラフィー画像を生成するように、
構成することにより、前記表面マイボグラフィー画像で前記眼瞼の前記内側表面の前記内側部分を画像化すべく前記イメージングデバイスに指令するように、および
前記第１の表面マイボグラフィー画像の前記第２の角度端と前記第２の表面マイボグラフィー画像の前記第１の角度端とを組み合わせて、前記眼瞼の前記内側表面の前記内側部分からの前記第２のＩＲ光の画像化された反射から生じるグレアが低減された前記表面マイボグラフィー画像を生成するように、
構成されることを特徴とする請求項９に記載のマイボーム腺イメージングシステム。